【手続補正書】
【提出日】令和2年12月4日(2020.12.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ダウンリンク制御チャネルアグリゲーションサイズ、アップリンク制御チャネル割当て、または情報ビットのペイロードサイズのうちの少なくとも1つに基づいて、サイズNの符号化ビットストリームを形成するために前記情報ビットを符号化するために使用されるべき符号レートを選択するステップと、
NをN-で除算した比がしきい値より小さいことを検出するステップであって、N-はNより小さいまたはNと等しい最大の整数の2のべき乗である、ステップと、
NをN-で除算した前記比が前記しきい値より小さいことを検出したことに応答して、N-となるべきサイズN*のネイティブPolar符号を選択するステップと、
サイズN*のネイティブサイズの符号化ビットストリームを形成するために、前記サイズN*のネイティブPolar符号及び前記選択された符号レートに基づいて前記情報ビットを符号化するステップと、
前記サイズN*のネイティブサイズの符号化ビットストリームに対して反復を実行する、または前記サイズN*のネイティブサイズの符号化ビットストリームに対してパンクチャリング若しくは短縮を実行することにより、サイズNの前記符号化ビットストリームを形成するために前記サイズN*のネイティブサイズの符号化ビットストリームに対してレートマッチングを実行するステップと、
前記サイズNの符号化ビットストリームを送信するステップと
を含む、方法。
【請求項２】
前記ダウンリンク制御チャネルが物理ダウンリンク制御チャネル(PDCCH)を備える、請求項1に記載の方法。
【請求項３】
前記アップリンク制御チャネルが物理アップリンク制御チャネル(PUCCH)を備える、請求項1に記載の方法。
【請求項４】
前記アップリンク制御チャネル割当てのサイズが、前記アップリンク制御チャネルに割り当てられたリソース要素またはリソースブロックの数を含む、請求項1に記載の方法。
【請求項５】
前記符号レートを選択するステップが、前記アップリンク制御チャネルの持続時間にさらに基づく、請求項1に記載の方法。
【請求項６】
前記サイズNの符号化ビットストリームを形成するために使用するために前記符号レートの指示を基地局から受信するステップをさらに含み、前記サイズNの符号化ビットストリームが、物理アップリンク制御チャネル(PUCCH)上で送信される、請求項1に記載の方法。
【請求項７】
前記サイズN*のネイティブサイズの符号化ビットストリームをサーキュラーバッファ内に記憶するステップをさらに含む、請求項1に記載の方法。
【請求項８】
前記記憶されたサイズN*のネイティブサイズの符号化ビットストリームに対してレートマッチングを実行するステップが、パンクチャリングパターンに従って前記記憶されたネイティブサイズの符号化ビットストリームのビットの第1のセットをパンクチャリングするステップを含む、請求項7に記載の方法。
【請求項９】
前記パンクチャリングパターンが、前記選択された符号レートNまたはN*のうちの少なくとも1つの関数である、請求項8に記載の方法。
【請求項１０】
前記記憶されたサイズN*のネイティブサイズの符号化ビットストリームに対してレートマッチングを実行するステップが、反復パターンに従って前記記憶されたサイズN*のネイティブサイズの符号化ビットストリームのビットの第2のセットを反復するステップを含み、前記反復パターンが、前記選択された符号レートNまたはN*のうちの少なくとも1つの関数である、請求項7に記載の方法。
【請求項１１】
前記符号レートは、Nで除算した前記情報ビットのサイズに従って選択される、請求項7に記載の方法。
【請求項１２】
レートマッチングを実行するステップが、
NがN*より大きいときに前記記憶されたサイズN*のネイティブサイズの符号化ビットストリームに対して反復を実行するステップと、
NがN*より小さいときに前記記憶されたサイズN*のネイティブサイズの符号化ビットストリームに対してパンクチャリングまたは短縮を実行するステップと
を含む、請求項11に記載の方法。
【請求項１３】
N/(N-)が前記しきい値より小さいときに、前記ネイティブサイズの符号化ビットストリームに対して前記反復を実行するステップ、または
N/(N-)が前記しきい値より大きいときに、前記ネイティブサイズの符号化ビットストリームに対して前記パンクチャリングもしくは短縮を実行するステップ
をさらに含む、請求項1に記載の方法。
【請求項１４】
NをN-で除算した前記比を決定するステップと、
前記比を前記しきい値と比較するステップと
をさらに含み、
N*を選択するステップは、前記決定された比及び前記比と前記しきい値との前記比較に基づく、
請求項1に記載の方法。
【請求項１５】
NをN-で除算した前記比が前記しきい値より大きいときに、N+となるべきN*を選択するステップをさらに含み、
N+はNより大きい又はNと等しい最小の整数の2のべき乗と等しい、
請求項1に記載の方法。
【請求項１６】
前記しきい値は固定されており、N*またはN-に依らない
請求項1に記載の方法。
【請求項１７】
ワイヤレス通信の方法であって、
Polar符号を使用して符号化されたサイズNの符号化ビットストリームを受信するステップと、
ダウンリンク制御チャネルアグリゲーションサイズ、アップリンク制御チャネル割当て、または前記サイズNの符号化ビットストリームのペイロードサイズのうちの少なくとも1つに基づいて、前記サイズNの符号化ビットストリームを復号するために使用されるべき符号レートを選択するステップと、
NをN-で除算した比がしきい値より小さいことを検出するステップであって、N-はNより小さいまたはNと等しい最大の整数の2のべき乗である、ステップと、
NをN-で除算した前記比が前記しきい値より小さいことを検出したことに応答して、N-となるべきサイズN*のネイティブPolar符号を選択するステップと、
サイズN*のネイティブサイズの符号化ビットストリームを形成するために、前記サイズNの符号化ビットストリームに対してデレートマッチングを実行するステップと、
前記選択された符号レートに基づいて、前記サイズN*のネイティブサイズの符号化ビットストリームを復号するステップと
を含む、方法。
【請求項１８】
前記ダウンリンク制御チャネルが物理ダウンリンク制御チャネル(PDCCH)を備える、請求項17に記載の方法。
【請求項１９】
前記アップリンク制御チャネルが物理アップリンク制御チャネル(PUCCH)を備える、請求項17に記載の方法。
【請求項２０】
前記アップリンク制御チャネル割当てのサイズが、前記アップリンク制御チャネルに割り当てられたリソース要素またはリソースブロックの数を含む、請求項17に記載の方法。
【請求項２１】
前記符号レートを選択するステップが、前記アップリンク制御チャネルの持続時間にさらに基づく、請求項17に記載の方法。
【請求項２２】
前記サイズNの符号化ビットストリームが、ネストされたアグリゲーションレベルを使用して設計された制御チャネル上で受信され、
前記サイズN*のネイティブサイズの符号化ビットストリームを復号するステップが、
前記ネストされた制御チャネルのより低いアグリゲーションレベルに関連する対数尤度比と、前記ネストされた制御チャネルのより高いアグリゲーションレベルに関連する対数尤度比とを組み合わせるステップと、
前記組み合わされた対数尤度比にさらに基づいて前記サイズN*のネイティブサイズの符号化ビットストリームを復号するステップと
をさらに含む、請求項17に記載の方法。
【請求項２３】
前記ネストされた制御チャネルが、物理ダウンリンク制御チャネル(PDCCH)または物理アップリンク制御チャネル(PUCCH)を備える、請求項22に記載の方法。
【請求項２４】
サーキュラーバッファ内に前記サイズNの符号化ビットストリームを記憶するステップ
をさらに含む、請求項17に記載の方法。
【請求項２５】
前記記憶されたサイズNの符号化ビットストリームに対して前記デレートマッチングを実行するステップが、目標の符号レートまたはNの絶対値のうちの少なくとも1つに基づいて前記サイズN*のネイティブPolar符号を決定するステップを含む、請求項24に記載の方法。
【請求項２６】
前記デレートマッチングを実行するステップが、
NがN*より大きいときに、前記記憶されたサイズNの符号化ビットストリームに対して非反復を実行するステップと、
NがN*より小さいときに、前記記憶されたサイズNの符号化ビットストリームに対してデパンクチャリングまたは非短縮を実行するステップと
を含む、請求項25に記載の方法。
【請求項２７】
前記デレートマッチングを実行するステップが、
N/(N-)が前記しきい値より小さいときに、前記記憶されたサイズNの符号化ビットストリームに対して非反復を実行するステップ、または
N/(N-)が前記しきい値より大きいときに、前記記憶されたサイズNの符号化ビットストリームに対してデパンクチャリングもしくは非短縮を実行するステップ
を含む、請求項17に記載の方法。
【請求項２８】
ワイヤレス通信のための装置であって、
ダウンリンク制御チャネルアグリゲーションサイズ、アップリンク制御チャネル割当て、または情報ビットのペイロードサイズのうちの少なくとも1つに基づいて、前記情報ビットを符号化し、サイズNの符号化ビットストリームを形成するために使用されるべき符号レートを選択することと、
NをN-で除算した比がしきい値より小さいことを検出することであって、N-はNより小さいまたはNと等しい最大の整数の2のべき乗である、検出することと、
NをN-で除算した前記比が前記しきい値より小さいことを検出したことに応答して、N-となるべきサイズN*のネイティブPolar符号を選択することと、
サイズN*のネイティブサイズの符号化ビットストリームを形成するために、前記サイズN*のネイティブPolar符号及び前記選択された符号レートに基づいて前記情報ビットを符号化することと、
前記サイズN*のネイティブサイズの符号化ビットストリームに対して反復を実行する、又は前記サイズN*のネイティブサイズの符号化ビットストリームに対してパンクチャリング若しくは短縮を実行することにより、サイズNの前記符号化ビットストリームを形成するために前記サイズN*のネイティブサイズの符号化ビットストリームに対してレートマッチングを実行することと、
前記サイズNの符号化ビットストリームを送信することと
を行うように構成される少なくとも1つのプロセッサと、
前記少なくとも1つのプロセッサと結合されるメモリと
を備える、装置。
【請求項２９】
ワイヤレス通信のための装置であって、
Polar符号を使用して符号化されたサイズNの符号化ビットストリームを受信することと、
ダウンリンク制御チャネルアグリゲーションサイズ、アップリンク制御チャネル割当て、または前記ビットストリームのペイロードサイズのうちの少なくとも1つに基づいて、前記符号化ビットストリームを復号するために使用されるべき符号レートを選択することと、
NをN-で除算した比がしきい値より小さいことを検出するステップであって、N-はNより小さいまたはNと等しい最大の整数の2のべき乗である、検出することと、
NをN-で除算した前記比が前記しきい値より小さいことを検出したことに応答して、N-となるべきサイズN*のネイティブPolar符号を選択することと、
サイズN*のネイティブサイズの符号化ビットストリームを形成するために、前記サイズNの符号化ビットストリームに対してデレートマッチングを実行することと、
前記選択された符号レートに基づいて、前記サイズN*のネイティブサイズの符号化ビットストリームを復号すること
を行うように構成される少なくとも1つのプロセッサと、
前記少なくとも1つのプロセッサと結合されるメモリと
を備える、装置。